(57)【要約】【課題】製造工程において確認作業を簡易化し、品質を向上させることができる係合構造を提供する。【解決手段】先端に係合爪部５２が設けられた弾性片５３を有する合成樹脂からなる支持体５（第１の部材）と、係合爪部５２に係合する被係合部４１を有する表示板（第２の部材）４とを有し、係合爪部５２を被係合部４１に係合することにより支持体５と表示板４を結合する係合構造において、係合爪部５２を被係合部４１に係合した際、係合爪部５２の先端側から表示板を目視可能なスリット部５４を係合爪部５２に設けたことにより、表示板４に対して面直の状態となる係合爪部５２の先端側からスリット部５４を通じて係合爪部の係合状態を確認することができる。【選択図】図２
2008275025.tif 000002
【特許請求の範囲】
【請求項１】
先端に係合爪部が設けられた弾性片を有する合成樹脂からなる第１の部材と、前記係合爪部に係合する被係合部を有する第２の部材とを有し、前記係合爪部を前記被係合部に係合することにより前記第１の部材と前記第２の部材とを結合する係合構造において、
前記係合爪部を前記被係合部に係合した際、前記係合爪部の先端側から前記第２の部材を目視可能なスリット部を前記係合爪部に設けたことを特徴とする係合構造。
【請求項２】
前記スリット部が前記係合爪部だけに設けられていることを特徴とする請求項１記載の係合構造。
【発明の詳細な説明】
【技術分野】
【０００１】
本発明は、合成樹脂からなる第１の部材と任意の第２の部材とを、第１の部材に設けた係合爪部を介して結合する係合構造に関するもので、例えば車両用表示装置に組み込まれる部品を結合するのに好適な係合構造に関する。
【背景技術】
【０００２】
この種の係合構造として、例えば特許文献１に記載されたものが知られている。当該文献に記載の係合構造は、車両用表示装置において、所要部品を収容するケース体（第１の部材）と、所定の表示意匠が形成された表示板（第２の部材）とを結合するものである。ケース体は合成樹脂からなり、先端に係合爪部が設けられた弾性片を有している。表示板は合成樹脂からなる平板に印刷により表示意匠を施してなり、係合爪部に対応する外周部の部分領域には係合爪部に係合する被係合部を有している。そしてこれらケース体と表示板とは、ケース体の係合爪部を表示板の被係合部に係合することにより互いに結合される。
【特許文献１】特開２００２−１０７１８３号公報（図２）
【発明の開示】
【発明が解決しようとする課題】
【０００３】
ところで、このような係合構造にあっては、製造工程において係合部が確実に表示板に係合しているか否かを確認する必要があるが、表示板に対して面直の状態となる係合爪部の先端側から係合部の係合状態を確認しづらく、表示装置を斜めにしたり、横にしたりして目視確認しなければならず、製造工程を煩雑にしてしまうといった問題があった。またこの確認作業を怠ると、過酷な環境下で使用される車両用表示装置にあっては、表示板が振動してビビリ音が発生したり、振動に伴う部品の削れ等が発生し、品質を低下させてしまうおそれがあるという問題があった。
【０００４】
本発明は前述した問題点に着目し、製造工程において確認作業を簡易化し、品質を向上させることができる係合構造を提供することを主な目的とする。
【課題を解決するための手段】
【０００５】
本発明は、前述した課題を解決するため、先端に係合爪部が設けられた弾性片を有する合成樹脂からなる第１の部材と、前記係合爪部に係合する被係合部を有する第２の部材とを有し、前記係合爪部を前記被係合部に係合することにより前記第１の部材と前記第２の部材とを結合する係合構造において、前記係合爪部を前記被係合部に係合した際、前記係合爪部の先端側から前記第２の部材を目視可能なスリット部を前記係合爪部に設けたことを特徴とする。
【０００６】
また本発明は、前記スリット部が前記係合爪部だけに設けられていることを特徴とする。
【発明の効果】
【０００７】
本発明によれば、初期の目的を達成でき、製造工程において確認作業を簡易化し、品質を向上させることができる係合構造を提供する。
【発明を実施するための最良の形態】
【０００８】
図１及び図２は本発明の一実施形態として、本発明による係合構造を車両用の表示装置に適用した例を示し、図１は表示装置の要部断面図、図２は係合爪部周辺を図１中、矢印Ａ方向から見たときの平面図である。
【０００９】
図１において、本実施形態による表示装置は、裏カバー１と表カバー２，３との間に、例えば図示しないアナログ式計器の表示板４と、この表示板４を支持する支持体５と、この支持体を図示省略した箇所で支持すると共にアナログ式計器を電気的に作動させる回路基板６とでなる表示器７を収納固定してなる。
【００１０】
表示板４は、合成樹脂からなる平板基材に印刷により表示意匠（図示しない）を施してなり、後述する係合爪部に対応する外周部の部分領域に、前記係合爪部が係合する被係合部４１を有している。
【００１１】
支持体５は、合成樹脂からなり、表示板４を受ける受部５１と、この受部５１に表示板４を載置した際に表示板４の被係合部４１に係合する係合爪部５２が先端に設けられた弾性片５３とを有し、このように構成された支持体５と表示板４とは、支持体５の係合爪部５２を表示板４の被係合部４１に係合することにより互いに結合され、支持体５の表示板４の支持を可能とするものである。
【００１２】
支持体５への表示板４の装着は、まず表示板４の角部を係合爪部５２の先端側に位置合わせし、次に表示板４を面直方向（図１中矢印Ａ方向）に移動させると前記面直方向に対して傾斜する傾斜面をなす係合爪部５２の外壁部が外側（図１中、右側）に押されて弾性片５３が弾性変形し、さらに表示板４を面直方向に移動させて受部５１上に表示板４を載置すると、表示板４の角部が係合爪部５２を通り越すため、撓んでいた弾性片５３がその弾性変形力によって元の位置に復帰し、係合爪部５２の表示板４との対向面が表示板４の被係合部４１に係合する。
【００１３】
ここで、係合爪部５２には、その略中央にスリット部５４が形成されており、係合爪部５２を被係合部４１に係合し、図２に示すように、係合爪部５２の先端側（図１中矢印Ａ方向）から係合部分を見たとき、スリット部５４を通じて表示板４を目視することができるようになっている。
【００１４】
またスリット部５４は、係合爪部５２だけに設けられ、弾性片５３には設けられていない。
【００１５】
以上のように本実施形態では、先端に係合爪部５２が設けられた弾性片５３を有する合成樹脂からなる支持体５（第１の部材）と、係合爪部５２に係合する被係合部４１を有する表示板（第２の部材）４とを有し、係合爪部５２を被係合部４１に係合することにより支持体５と表示板４を結合する係合構造において、係合爪部５２を被係合部４１に係合した際、係合爪部５２の先端側から表示板を目視可能なスリット部５４を係合爪部５２に設けたことにより、表示板４に対して面直の状態となる係合爪部５２の先端側からスリット部５４を通じて係合爪部の係合状態を確認することができるので、確認作業を簡易化することができ、また確認漏れの発生を抑えて品質を向上させることができる。
【００１６】
また本実施形態では、スリット部５４が係合爪部５２だけに設けられているものであり、これにより、弾性片５３の強度低下を抑えることができる。
【００１７】
なお本実施形態では、本発明による係合構造を車両用の表示装置における支持体５と表示板４との結合構造に適用したが、本発明の適用対象は任意である。
【図面の簡単な説明】
【００１８】
【図１】本発明の一実施形態による表示装置の要部断面図。
【図２】同実施形態における係合爪部周辺を図１中、矢印Ａ方向から見たときの平面図。
【符号の説明】
【００１９】
１  裏カバー
２，３  表カバー
４  表示板
５  支持体
６  回路基板
７  表示器
４１  被係合部
５１  受部
５２  係合爪部
５３  弾性片
５４  スリット部
【図１】
2008275025.tif 000003
【図２】
2008275025.tif 000004